(57)【要約】【課題】クラッカー利用遊具であって、クラッカーが鳴るまでの時間を楽しむことのできるものを提供する。【解決手段】クラッカー利用遊具１は、固定端と自由端とを有する弾性体２１と、弾性体２１の自由端にその一端が連結されて弾性体２１の自由端をクラッカー１０の引き紐の引き代以上に変位するように弾性変形させた状態で保持する張力が付与された仕掛糸８と、弾性変形させた状態の弾性体２１の自由端にその引き紐が連結されるようにクラッカー１０を支持できるクラッカー支持板４と、仕掛糸８と接触する位置に点火されると燃焼する導火体６を支持できる導火体支持部５とを備えている。クラッカー支持板４にクラッカー１０を装着してその引き紐を弾性体２１の自由端に連結し、導火体支持部５に導火体６を装着し、導火体６に点火すると、仕掛糸８が焼き切れて弾性体２１の自由端が変位してクラッカー１０の引き紐が引っ張られる。【選択図】図１
2011098161.tif 000002
【特許請求の範囲】
【請求項１】
固定端と自由端とを有する弾性体と、
前記弾性体の自由端にその一端が連結されて前記弾性体の自由端をクラッカーの引き紐の引き代以上に変位するように弾性変形させた状態で保持する張力が付与された仕掛糸と、
弾性変形させた状態の前記弾性体の自由端にその引き紐が連結されるようにクラッカーを支持できるクラッカー支持体と、
前記仕掛糸と接触する位置に点火されると燃焼する導火体を支持できる導火体支持体とを備え、
前記クラッカー支持体にクラッカーを支持させ、その引き紐を前記弾性体の自由端に連結し、前記導火体支持体に導火体を支持させて前記導火体に点火すると、前記導火体の燃焼により前記仕掛糸が焼き切れるように構成されている、クラッカー利用遊具。
【請求項２】
前記クラッカー支持体は、前記弾性体の固定端が固定された基台と、前記基台に立設された支柱と、前記支柱に固定されてクラッカーをその尖端から挿入して支持できる孔を有する支持板とで構成されている、請求項１に記載のクラッカー利用遊具。
【請求項３】
前記導火体支持体は、前記支柱の前記支持板よりも上方に設けられている、請求項２に記載のクラッカー利用遊具。
【請求項４】
前記弾性体は板バネである、請求項１から請求項３のいずれか一項に記載のクラッカー利用遊具。
【請求項５】
前記クラッカー支持体は複数のクラッカーを支持できるように構成されており、前記複数のクラッカーと同じ複数の前記弾性体と前記仕掛糸とをそれぞれ備えている、請求項１から請求項４のいずれか一項に記載のクラッカー利用遊具。
【発明の詳細な説明】
【技術分野】
【０００１】
本発明は、クラッカー装着し、装着されたクラッカーを鳴らして楽しむための遊具に関する。
【背景技術】
【０００２】
従来、クラッカーは、紙で成る三角コーン形（三角錐形）の本体と、この本体内に収容された振動片及び火薬と、この火薬に一端が固め付けられ他端は本体の尖端から引き出された引き紐とで構成されている。クラッカーの引き紐を引っ張ると、引き紐と振動片との摩擦熱で内部の火薬がパンと音を立てて爆発し、その爆風によって本体前端の発射口が開口するように構成されている。クラッカーには、爆発音だけのものや、本体に火薬に加えて小巻テープや紙吹雪等の放出物を装填して爆風に伴って放出物を発射口から放出するように構成されたものがある。
【０００３】
クラッカーは、例えば、パーティの演出などに用いられる。そこで、放出物、本体の形状、及び鳴らし方などに趣向を凝らしたクラッカーが知られている。例えば、特許文献１では、一度に複数のクラッカーを鳴らすように構成されたクラッカー付き遊技器具が開示されている。特許文献１に記載されたクラッカー付き遊技器具は、発射口が上方を向くように蓋体に取り付けられて引き紐が下方に引っ張られることで火薬体が爆発するクラッカーと、蓋体から上端部が突出して下方に押し込み可能な押し込み体とを備え、押し込み体と引き紐とが連結部材により連結され、押し込み体を下方へ押し込むことにより火薬が爆発するように構成されている。
【先行技術文献】
【特許文献】
【０００４】
【特許文献１】特開２００７−３１９４７２号公報
【発明の概要】
【発明が解決しようとする課題】
【０００５】
上記特許文献１に記載されたクラッカー付き遊技器具は、通常のクラッカーと同じく作業者が引き紐を引っ張る操作を行うように構成されているので、クラッカーが鳴るまでの時間を楽しむことができない。クラッカーが鳴る一瞬と、これに加え、クラッカーが鳴るまでの時間を楽しむことができれば、場は更に盛り上がることが期待できる。
【０００６】
そこで、本発明では、クラッカー利用遊具であって、クラッカーが鳴るまでの時間を楽しむことのできるものを提供することを目的とする。
【課題を解決するための手段】
【０００７】
本発明に係るクラッカー利用遊具は、固定端と自由端とを有する弾性体と、前記弾性体の自由端にその一端が連結されて前記弾性体の自由端をクラッカーの引き紐の引き代以上に変位するように弾性変形させた状態で保持する張力が付与された仕掛糸と、弾性変形させた状態の前記弾性体の自由端にその引き紐が連結されるようにクラッカーを支持できるクラッカー支持体と、前記仕掛糸と接触する位置に点火されると燃焼する導火体を支持できる導火体支持体とを備え、前記クラッカー支持体にクラッカーを支持させ、その引き紐を前記弾性体の自由端に連結し、前記導火体支持体に導火体を支持させて前記導火体に点火すると、前記導火体の燃焼により前記仕掛糸が焼き切れるように構成されているものである。
【０００８】
上記構成によれば、クラッカー利用遊具に装着された導火体に点火すれば、導火体が燃焼するときにこれに接触している仕掛糸が焼き切れて仕掛糸に付与されている張力が開放される。これにより弾性体は弾性変形から回復するが、このときに弾性体の自由端の変位に伴って弾性体に連結されたクラッカーの引き紐がその引き代以上に引っ張られてクラッカーが鳴る。このように導火体に点火してからクラッカーが鳴るまでにタイムラグがあり、このタイムラグの間に導火体が燃焼する姿を見たり音を聞いたり、弾性体が弾性変形から回復する様子を見たり、仕掛糸が焼き切れる様子を見たりして、クラッカーが鳴る瞬間に加えクラッカーが鳴るまでの時間を楽しむことができる。
【０００９】
前記クラッカー利用遊具において、前記クラッカー支持体は、前記弾性体の固定端が固定された基台と、前記基台に立設された支柱と、前記支柱に固定されてクラッカーをその尖端から挿入して支持できる孔を有する支持板とで構成することができる。
【００１０】
また、前記クラッカー利用遊具において、前記導火体支持体は、前記支柱の前記支持板よりも上方に設けることができる。これにより、導火体が導火体支持体に装着し易くなり、また、火花を散らして燃焼する導火体の姿を装置の他の部分に遮られることなく見ることができる。
【００１１】
さらに、前記クラッカー利用遊具において、前記弾性体は板バネであることがよい。これにより、遊具を簡易且つ安価に構成することができると共に、板バネの弾性回復時にそのダイナミックな動きを見て楽しむことができる。
【００１２】
また、前記クラッカー利用遊具において、前記クラッカー支持体は複数のクラッカーを支持できるように構成し、前記複数のクラッカーと同じ複数の前記弾性体と前記仕掛糸とをそれぞれ備えることができる。これにより、１台のクラッカー利用遊具で複数のクラッカーを鳴らすことができる。
【発明の効果】
【００１３】
本発明によれば、導火体に点火してからクラッカーが鳴るまでにタイムラグがあり、このタイムラグの間に導火体が燃焼する姿を見たり音を聞いたり、弾性体が弾性変形から回復する様子を見たり、仕掛糸が焼き切れる様子を見たりして、クラッカーが鳴る瞬間に加えクラッカーが鳴るまでの時間を楽しむことができる。
【図面の簡単な説明】
【００１４】
【図１】本発明の実施の形態に係るクラッカー利用遊具の全体的な構成を示した斜視図である。
【図２】クラッカー利用遊具の側面図である。
【図３】クラッカー利用遊具の一部拡大図であり、（ａ）は導火体支持部の拡大断面図、（ｂ）は弾性体を固定した基台近傍の拡大図である。
【図４】クラッカー利用遊具の変形例１を示す平面図である。
【図５】クラッカー利用遊具の変形例２を示す斜視図である。
【図６】図５に示すクラッカー利用遊具の平面図である。
【図７】クラッカー利用遊具にポップアップメッセージボードを組み合わせた例を示す側面図である。
【図８】ポップアップメッセージボードの動作を説明する側面断面図であり、図８（ａ）はポップアップ前、図８（ｂ）はポップアップ後を示している。
【図９】導火体支持部の変形例を説明する側面断面図であり、図９（ａ）は導火体の燃焼前、図９（ｂ）は導火体の燃焼後を示している。
【発明を実施するための形態】
【００１５】
以下、本発明を実施するための最良の形態について、図面を参照しながら、詳細に説明する。なお、以下では全ての図を通じて同一又は相当する要素には同一の参照符号を付して、その重複する説明を省略する。
【００１６】
［クラッカー利用遊具１の構造］
まず、本実施の形態に係るクラッカー利用遊具１の構造から説明する。図１及び図２に示すように、クラッカー利用遊具１は、遊具本体７と、２個のクラッカー１０（１０ａ，１０ｂ）と、導火体６とで構成されている。導火体６とクラッカー１０とは、遊具本体７に対して着脱可能に設けられており、使用のたびに新しいものと交換するようになっている。
【００１７】
クラッカー１０は、三角錐形の本体と、本体内に収容された振動片及び火薬と、この火薬に一端が固め付けられ他端は本体の尖端から引き出された引き紐とで構成された花火である。このクラッカー１０の引き紐を所定の引き代の長さ分だけ引くと、引き紐と振動片との摩擦熱で内部の火薬がパンと音を立てて爆発し、その爆風によって本体前端の発射口が開口する。なお、クラッカー１０の引き紐の引き代は製品によって異なるが、長くとも数ｃｍ程度である。クラッカー１０の構造は公知であるのでこれ以上の詳細な説明は省略する。
【００１８】
遊具本体７は、平板状の基台２と、基台２の略中央部分に略鉛直方向に立設された支柱３と、基台２にその一端が固定された２つの弾性体２１（２１ａ，２１ｂ）と、支柱３を貫通しその支柱３の上部に固定されたクラッカー支持板４と、支柱３のクラッカー支持板４より上方に突出した上端部分に設けられた導火体支持部５とを、備えている。なお、本実施の形態において、弾性体２１として板バネを採用している。
【００１９】
２つの弾性体２１ａ，２１ｂの一端は、基台２の支柱３の周りにおいて支柱３を挟んで対称となる位置にそれぞれ固定されて、固定端となっている。一方、これらの弾性体２１ａ，２１ｂの他端は自由端であり、この自由端の下面には、仕掛糸８（８ａ，８ｂ）の端部が連結される第一連結部２２（２２ａ，２２ｂ）が設けられている。なお、仕掛糸８は、たこ糸や釣り糸などの熱で燃える又は溶ける素材で成る糸又は紐であって、クラッカー利用遊具１の使用のたびに新しいものと取り替えられる。
【００２０】
クラッカー支持板４には、クラッカー利用遊具１に装着するクラッカー１０の数に対応する２つのクラッカー支持孔４１（４１ａ，４１ｂ）が穿設されている。クラッカー支持孔４１は、クラッカー１０の最大直径よりも直径の小さい円形孔である。従って、このクラッカー支持孔４１にクラッカー１０をその尖端を下方に向けて上方から挿入すると、途中でクラッカー１０の外周とクラッカー支持孔４１の内周とが当接してクラッカー１０のそれより下方への移動が規制されるので、クラッカー１０はクラッカー支持孔４１から抜け落ちない。なお、市販されている一般的なクラッカーは、軸方向長さが異なったとしても軸と母線の為す角に大きな個差はないので、市販されている一般的な小さめのクラッカーを支持できるようにクラッカー支持孔４１の径を定めれば、市販されている殆どのクラッカーを装着することが可能となる。
【００２１】
また、クラッカー支持板４のクラッカー支持孔４１と支柱３との間には、仕掛糸８の端部が固定される第二連結部４３（４３ａ，４３ｂ）と、仕掛糸８の通路となる導通孔４２（４２ａ，４２ｂ）とが設けられている。本実施の形態に係る第一連結部２２及び第二連結部４３は、いずれも仕掛糸８の一端を巻き付けたうえ結びつけることのできる頭付きピン形状を有しているが、第一連結部２２及び第二連結部４３の形態はこれに限定されるものではなく、仕掛糸８の端部を固定することができればいかなる形態であってもよい。
【００２２】
導火体６は、点火されると燃焼するものであって、例えば、竹ヒゴや金属でできた柄の先に火薬を付着させて成るスボ手の線香花火などを用いることができる。図３（ａ）にも示すように、この導火体６を支持できる導火体支持部５は、支柱３の先端において導火体６を立てた状態で支持できる導火体支持穴５１を備えている。導火体６を柄の方から導火体支持穴５１へ挿入すると、導火体６を導火体支持穴５１へ突き立てることができる。この導火体支持部５はクラッカー支持板４よりも上方に設けられており、これにより導火体６を導火体支持部５へより容易に装着することができ、さらに、火花を散らして燃焼する導火体６の姿を装置の他の部分に遮られることなく見ることができる。
【００２３】
さらに、導火体支持部５は、導火体支持穴５１に立てられた導火体６と接触せずに周囲を覆うことのできる筒状部材５２を備えている。筒状部材５２は、支柱３の上端に設けられた導火体支持穴５１の周囲にその下端が固定されており、この筒状部材５２に導火体６が遊挿されている。筒状部材５２は、１本目の仕掛糸８ａを筒状部材５２内へ導入する導入孔５３と、その仕掛糸８ａを筒状部材５２内から導出させる導出孔５４とを備えている。導入孔５３と導出孔５４との配置は、これらの孔５３，５４を通る仕掛糸８ａが筒状部材５２内で導火体６の火薬が付着している部分と接触できるように定められている。また、筒状部材５２は、２本目の仕掛糸８ｂを筒状部材５２内へ導入する導入溝５５と、その仕掛糸８ｂを筒状部材５２内から導出させる導出溝５６とを備えている。導入溝５５と導出溝５６との配置は、これらの溝５５，５６を通る仕掛糸８ｂが筒状部材５２内で導火体６の火薬が付着している部分と接触するように定められている。なお、本実施の形態に係る筒状部材５２は、その上下中途部に導入孔５３，導出孔５４を有し、その上端部に導入溝５５，導出溝５６を有しているので、前述の通りこれらを通じる２本の仕掛糸８ａ，８ｂは筒状部材５２内で上下に位置している。但し、導入孔５３，導出孔５４に代えて筒状部材５２の上端部に同様に機能する溝を形成して、或いは、導入溝５５，導出溝５６に代えて筒状部材５２の上下中途部に同様に機能する孔を形成して、２本の仕掛糸８ａ，８ｂを筒状部材５２内で同一高さに配置しても良い。
【００２４】
そして、１本目の仕掛糸８は、始端が弾性体２１ａの第一連結部２２ａに連結され、終端が第二連結部４３ａに連結され、始端と終端の間にクラッカー支持板４の導通孔４２ａと筒状部材５２の導入孔５３及び導出孔５４とを通っている。ここで１本目の仕掛糸８ａには、弾性体２１ａの第一連結部２２ａを備えた自由端が１個目のクラッカー１０ａの引き紐の引き代以上に上方へ変位するように弾性変形させた状態で保持する張力が付与されている。また、２本目の仕掛糸８ｂは、始端が弾性体２１ｂの第一連結部２２ｂに固定され、終端が第二連結部４３ｂに連結され、始端と終端との間にクラッカー支持板４の導通孔４２ｂと筒状部材５２の導入溝５５及び導出溝５６とを通っている。ここで２本目の仕掛糸８ｂには、弾性体２１ｂの第一連結部２２ｂを備えた自由端が２個目のクラッカー１０ｂの引き紐の引き代以上に上方へ変位するように弾性変形させた状態で保持する張力が付与されている。
【００２５】
［クラッカー利用遊具１の使用手順］
ここで、クラッカー利用遊具１の使用手順を説明する。クラッカー利用遊具１を使用するに際して、遊具本体７にクラッカー１０と導火体６とが装着される。１個目のクラッカー１０ａは、クラッカー支持板４のクラッカー支持孔４１ａに挿入されて支持され、その引き紐は１本目の仕掛糸８ａの一端が連結された弾性変形後の弾性体２１ａの第一連結部２２ａに結びつけられる。２個目のクラッカー１０ｂは、クラッカー支持板４のクラッカー支持孔４１ｂに挿入されて支持され、その引き紐は２本目の仕掛糸８ｂの一端が連結された弾性変形後の弾性体２１ｂの第一連結部２２ｂに結びつけられる。導火体６は、導火体支持部５の導火体支持穴５１に突き立てられる。なお、市販されている一般的なクラッカーは軸方向の大きさが異なったとしても引き紐の長さの個差は小さく、さらに、前述した通り軸と母線との角度の個差も小さいので、クラッカーのクラッカー支持板４から下側部分に表れる部分の長さ並びに引き紐の長さは個差が小さい。よって、クラッカー支持板４には市販されている一般的なクラッカーの殆どを取り付けることが可能であり、クラッカー利用遊具１の汎用性は高い。
【００２６】
上記のようにクラッカー１０と導火体６とを装着したクラッカー利用遊具１において、導火体６の先端に点火すると、花火である導火体６はバチバチと音と火花を出しながら先端から柄のある導火体支持部５の方へ向かって燃焼していく。そして、導火体６の燃焼位置が筒状部材５２にさしかかると、導火体６の火及び熱により仕掛糸８が焼き切れる。まずは、筒状部材５２内において上方に位置する仕掛糸８ｂが焼き切れて、この仕掛糸８ｂに掛かっていた張力が開放され、図３（ｂ）に二点鎖線で示すように、弾性体２１ｂは弾性変形から回復する。弾性体２１ｂが弾性変形から回復するときに、弾性体２１ｂの自由端の変位に伴って弾性体２１ｂに連結されたクラッカー１０ｂの引き紐が引っ張られて、クラッカー１０ｂが発火してパンと鳴る。続いて、筒状部材５２内において下方に位置する仕掛糸８ａが焼き切れて、先ほどと同様にクラッカー１０ａが発火してパンと鳴る。なお、２本の仕掛糸８ａ，８ｂを筒状部材５２内で同一高さに配置すれば、２本の仕掛糸８ａ，８ｂはほぼ同時に焼き切れるので、２個のクラッカー１０ａ，１０ｂをほぼ同時に鳴らすことができる。
【００２７】
上述のように、本発明に係るクラッカー利用遊具１では、導火体６に点火してからクラッカー１０が鳴るまでにタイムラグ（導入時間）があり、このタイムラグの間に導火体６が燃焼する姿を見たり音を聞いたり、弾性体２１が弾性変形から回復する様子を見たり、仕掛糸８が焼き切れる様子を見たりして、クラッカー１０が鳴る瞬間に加えクラッカー１０が鳴るまでの時間を楽しむことができる。そして、このタイムラグの間において導火体６の燃焼位置が導火体支持部５側へ徐々に移動するときに、クラッカー１０の鳴りを待つことで気分が高まるので場の雰囲気の盛り上がりが期待できる。さらに、仕掛糸８の筒状部材５２内での高さ位置を選択することで、複数のクラッカー１０を時間間隔をおいて断続的に鳴らしたり、複数のクラッカー１０をほぼ同時に鳴らしたりすることができる。
【００２８】
なお、弾性体２１は板バネに代えて、引っ張りバネや、ゴムなどの弾性体であって、クラッカー１０の引き紐の引き代に相当する変位が可能なものを利用することができる。但し、弾性体２１として板バネを利用することは、クラッカー利用遊具１を簡易且つ安価に構成することができると共に、弾性体２１の弾性回復時にそのダイナミックな動きを見て楽しむことができるので好ましい。
【００２９】
［変形例］
上記のクラッカー利用遊具１において、クラッカー支持板４は複数のクラッカー１０を支持できるように構成されており、このクラッカー１０と同じ数の弾性体２１と仕掛糸８とを備えている。このように１台のクラッカー利用遊具１で複数のクラッカー１０を鳴らすように構成することができるが、クラッカー利用遊具１は装着できるクラッカー１０が単数となるように構成しても良いし、装着できるクラッカー１０が２よりも大きい複数となるように構成しても良い。以下に、クラッカー利用遊具１の変形例を説明する。
【００３０】
（変形例１）
まず、クラッカー利用遊具１の変形例１を説明する。図４はクラッカー利用遊具の変形例１を示す平面図である。図４に示すように、変形例１に係るクラッカー利用遊具１は、４個のクラッカー１０を装着することができる。このために、クラッカー支持板４は４個のクラッカー支持孔４１と４個の導通孔４２と４個の第二連結部４３を備えており、基台２には４枚の弾性体２１の固定端が固定されている。各弾性体２１の自由端には、導火体支持部５の筒状部材５２内を導火体６と接触しながら通過する仕掛糸８の一端と、クラッカー１０の引き紐とが、それぞれに固定されている。係る構成のクラッカー利用遊具１において、導火体支持部５に支持された導火体６に点火すると、その火と熱により各仕掛糸８が焼き切れて、各弾性体２１が弾性回復してその自由端が変位し、各クラッカー１０が鳴る。ここで４本の仕掛糸８は筒状部材５２内で上に配置されたものから順に焼き切れるので、４個のクラッカー１０は、筒状部材５２内で上側に配置された仕掛糸８に接続された弾性体２１に引き紐が連結されたものから順に次々と鳴る。なお、４本の仕掛糸８を筒状部材５２内で同一高さに配置すれば、４個のクラッカー１０をほぼ同時に鳴らすことができる。
【００３１】
（変形例２）
続いて、クラッカー利用遊具１の変形例２を説明する。図５はクラッカー利用遊具の変形例２を示す斜視図、図５はクラッカー利用遊具の変形例２を示す斜視図である。図５及び図６に示すように、変形例２に係るクラッカー利用遊具１は、４個のクラッカー１０を装着することができる。このために、クラッカー支持板４は４個のクラッカー支持孔４１と２個の導通孔４２と２個の第二連結部４３を備えており、基台２には２枚の弾性体２１の固定端が固定されている。そして、各弾性体２１の自由端には、導火体支持部５の筒状部材５２内を導火体６と接触しながら通過する仕掛糸８の一端と、２個のクラッカー１０の引き紐とが、それぞれに固定されている。係る構成のクラッカー利用遊具１において、導火体支持部５に支持された導火体６に点火すると、その火と熱により各仕掛糸８が焼き切れて、各弾性体２１が弾性回復してその自由端が変位し、各クラッカー１０が鳴る。ここで２本の仕掛糸８は筒状部材５２内で上に配置されたものから順に焼き切れるので、先ず、筒状部材５２内で上側に配置された仕掛糸８に接続された弾性体２１に引き紐が連結された２個のクラッカー１０が鳴り、続いて、筒状部材５２内で下側に配置された仕掛糸８に接続された弾性体２１に引き紐が連結された残りの２個のクラッカー１０が鳴る。なお、２本の仕掛糸８を筒状部材５２内で同一高さに配置すれば、４個のクラッカー１０をほぼ同時に鳴らすことができる。
【００３２】
複数のクラッカー１０と同じ複数の弾性体２１と仕掛糸８とをそれぞれ備える変形例１と、複数のクラッカー１０とそれよりも少ない複数の弾性体２１と仕掛糸８とをそれぞれ備える変形例２とで示されるように、同じ数のクラッカー１０を装着できるクラッカー利用遊具１であっても弾性体２１及び仕掛糸８の数が異なる構成とすることができる。つまり、クラッカー利用遊具１に装着できるクラッカー１０の数と弾性体２１及び仕掛糸８の数とは必ずしも一致させる必要はない。クラッカー利用遊具１に装着できるクラッカー１０の数に対してクラッカー利用遊具１が備える弾性体２１及び仕掛糸８の数を少なくすれば、装置の巨大化を抑えることができ、部品点数も少なくなるので、より価格を抑えて製品を提供することが可能となる。
【００３３】
［組み合わせ例］
上記のクラッカー利用遊具１に、他の遊具を組み合わせることができる。以下では、ポップアップメッセージボードを組み合わせた例を説明する。図７はクラッカー利用遊具にポップアップメッセージボードを組み合わせた例を示す側面図であり、図８はポップアップメッセージボードの動作を説明する側面断面図であり、図８（ａ）はポップアップ前、図８（ｂ）はポップアップ後を示している。
【００３４】
図７及び図８（ａ）に示すように、クラッカー利用遊具１は支柱３の図７の紙面奥側にポップアップメッセージボード７０を備えている。このポップアップメッセージボード７０は、クラッカー１０が鳴った後に、ゆっくりと上昇する。
【００３５】
ポップアップメッセージボード７０は、基台２に立設された支柱７１と、支柱７１の上端に接続された上下方向に延びる支持筒７２と、支持筒７２に軸状の基部７６ａが摺動可能に内挿されたメッセージ台７６と、メッセージ台７６の上部に取り付けられたメッセージボード７５と、支持筒７２に外装されたスプリング７３とを備えている。
【００３６】
メッセージ台７６は、支持筒７２に内挿された基部７６ａと、基部７６ａの上端に設けられたフランジ部７６ｂと、フランジ部７６ｂの周囲に設けられた仕掛糸固定部７６ｃとを、一体的に備えている。フランジ部７６ｂは支持筒７２の外径よりも大きい外径を有し、フランジ部７６ｂの下面と支持筒７２の上端面とが当接することによってメッセージ台７６の下方への移動が規制される。このフランジ部７６ｂの下面にスプリング７３の上端が当接し、支柱７１と支持筒７２の段差面にスプリング７３の下面が当接して、ポップアップ前においてスプリング７３はこれらの間で圧縮した状態にある（図８（ａ））。
【００３７】
また、メッセージ台７６に設けられた仕掛糸固定部７６ｃは仕掛糸７４を結びつけることのできる孔であって、メッセージ台７６に二カ所設けられている。一方、クラッカー支持板４には、仕掛糸７４が通る案内体４４，４４が仕掛糸固定部７６ｃの数に合わせて設けられており、導火体支持部５の筒状部材５２には仕掛糸７４が導火体６と接触しながら通る挿通孔５８，５８が形成されている。そして、メッセージ台７６の仕掛糸固定部７６ｃよりも案内体４４は低い位置にあり、案内体４４よりも筒状部材５２に形成された挿通孔５８，５８は高い位置にある。
【００３８】
図８（ａ）に示すように、ポップアップ前のポップアップメッセージボード７０において、仕掛糸７４の一端はメッセージ台７６の仕掛糸固定部７６ｃの一方に固定され、ここから、一方の案内体４４、筒状部材５２に形成された挿通孔５８，５８、及び他方の案内体４４を通って、他端は仕掛糸固定部７６ｃの他方に固定されている。この仕掛糸７４は、メッセージ台７６のフランジ部７６ｂと支持筒７２とが当接する位置までスプリング７３を圧縮させるように張力が付与されている。なお、仕掛糸７４は、筒状部材５２内においてクラッカー１０を鳴らすための仕掛糸８よりも低い位置にあり、仕掛糸８よりも後で焼き切れることとなる。
【００３９】
そして、クラッカー利用遊具１の導火体６に点火すると導火体６が燃焼し、まず、仕掛糸８，８が焼き切れてクラッカー１０，１０が鳴り、続いて、仕掛糸７４が焼き切れる。すると、メッセージ台７６は仕掛糸７４の張力から解放され、圧縮されていたスプリング７３は伸び始め、図８（ｂ）に示すように、メッセージボード７５がメッセージ台７６と一体的に上昇し始める。ここで、支持筒７２の内周とメッセージ台７６の基部７６ａの外周とに摺動抵抗を付与するグリスを塗っておくと、メッセージボード７５は比較的ゆっくりと時間をかけて上昇する。なお、ポップアップ後のメッセージボード７５は、導火体支持部５の筒状部材５２よりも高いところに位置して、メッセージが導火体支持部５で隠れないようにすることがよい。
【００４０】
さらに、ポップアップしたメッセージボード７５が導火体６の燃えかすで隠れないようにするために、例えば、燃焼後の導火体６が支柱３内に落下するようにクラッカー利用遊具１を構成することもできる。図９は導火体支持部の変形例を説明する側面断面図であり、図９（ａ）は導火体の燃焼前、図９（ｂ）は導火体の燃焼後を示している。
【００４１】
図９（ａ）に示す例では、クラッカー利用遊具１の支柱３は筒体で構成され、支柱３の上端に導火体支持部５の筒状部材５２が固定されている。この支柱３の内周であって上部には、内周側へ突出する突部３１が形成されている。この突部３１の内周を導火体６が通過できるように、突部３１の内径は導火体６の外径よりも大きい。一方、導火体６の柄の部分には、蝋や紙などの導火体６の熱で溶ける又は火で燃焼する材料で構成されて、支柱３の突部３１の内径よりも大きい外径を有するフランジ６１が取り付けられている。この導火体６を筒状部材５２へ上方から挿入すると、支柱３の突部３１の上面にフランジ６１の下面が当接して、導火体６が支持される。
【００４２】
上記構成において、導火体６が燃焼してフランジ６１が溶ける又は燃えると、図９（ｂ）に示すように、導火体６の燃えかすは支柱３内へ落下する。このようにして、燃焼後の導火体６をクラッカー利用遊具１の外観に表れないようにすれば、燃えたあとも美観を保つことができる。
【産業上の利用可能性】
【００４３】
本発明に係るクラッカー利用遊具は、装着できるクラッカーの数は上記に限定されることなく、単数又は複数のクラッカーを装着し、装着されたクラッカーを鳴らす装置として適宜形態を変化させて利用することができる。
【符号の説明】
【００４４】
１  クラッカー利用遊具
２  基台
３  支柱
４  クラッカー支持板
４１  クラッカー支持孔
４２  導通孔
４３  第二連結部
５  導火体支持部
５１  導火体支持穴
５２  筒状部材
６  導火体
７  遊具本体
８  仕掛糸
１０  クラッカー
２１  弾性体
２２  第一連結部
【図１】
2011098161.tif 000003
【図２】
2011098161.tif 000004
【図３】
2011098161.tif 000005
【図４】
2011098161.tif 000006
【図５】
2011098161.tif 000007
【図６】
2011098161.tif 000008
【図７】
2011098161.tif 000009
【図８】
2011098161.tif 000010
【図９】
2011098161.tif 000011